(57)【要約】【課題】未使用状態の内容器の不正使用を防止することが可能な構成を有するキャップ付き内容器を提供する。【解決手段】内容器１０と、未使用状態の内容器１０に対して装着されるキャップ５０とを備えた詰め替え用のキャップ付き内容器１であって、内容器１０は、周壁部１３と底壁部１４とを備え、キャップ５０は天壁部５１と外壁部５２とを備え、外壁部５２の内周面には、周壁部１３の外周面に設けられた係合部１５にアンダーカット係合する被係合部５２ａと、摺動面部５２ｂとが設けられており、キャップ５０が装着された内容器１０を外容器２０の内側に挿入していく過程において摺動面部５２ｂが外容器２０の側壁部２３に対して摺動して外壁部５２が径方向外側に変形することにより、係合部１５に対する被係合部５２ａのアンダーカット係合が解除されて、内容器１０がキャップ５０から離脱することを特徴とする。【選択図】図１
2018140816.tif 000002
【特許請求の範囲】
【請求項１】
有底筒状の外容器の内側に配置されて二重容器を構成する内容器と、内容物が充填され未使用状態の前記内容器に対して装着されるキャップとを備えた、詰め替え用のキャップ付き内容器であって、
前記内容器は、一端に開口部を有する筒状の周壁部と、該周壁部の他端を閉塞する底壁部とを備え、
前記キャップは、前記内容器に装着された装着状態において前記開口部を閉塞する天壁部と、該天壁部に連なり前記周壁部を外側から取り囲む筒状の外壁部とを備え、
前記外壁部の内周面には、前記周壁部の外周面に設けられた係合部にアンダーカット係合する被係合部と、該被係合部よりも前記外壁部の先端側で該先端に向けて径方向外側に傾斜する摺動面部とが設けられており、
前記キャップが装着された前記内容器を前記底壁部側から前記外容器の内側に挿入していく過程において前記摺動面部が前記外容器の側壁部に対して摺動して前記外壁部が径方向外側に変形することにより、前記係合部に対する前記被係合部のアンダーカット係合が解除されて、前記内容器が前記キャップから離脱するよう構成されていることを特徴とする、キャップ付き内容器。
【請求項２】
前記装着状態において、前記外壁部が、前記周壁部の軸方向の半分以上を覆うように構成されている、請求項１に記載のキャップ付き内容器。
【請求項３】
前記摺動面部は、前記外壁部の先端付近に設けられている、請求項１または２に記載のキャップ付き内容器。
【請求項４】
前記天壁部は、前記装着状態において前記周壁部の内周面に当接する封止筒部を有する、請求項１〜３の何れか一項に記載のキャップ付き内容器。
【請求項５】
前記天壁部は、前記封止筒部の径方向内側に設けられた押圧部を有し、
前記キャップが装着された前記内容器を前記外容器の内側に挿入していく過程において該押圧部を押し込むことにより、前記封止筒部が径方向内側に向けて変形するよう構成されている、請求項４に記載のキャップ付き内容器。
【請求項６】
前記内容器は、前記底壁部の下面から突出し、前記外容器の被嵌合部に対して嵌合可能な嵌合部を有する、請求項１〜５の何れか一項に記載のキャップ付き内容器。
【請求項７】
前記係合部が、前記周壁部の外周面から突出する外向き凸部であり、前記被係合部が、前記外壁部の内周面から突出する内向き凸部である、請求項１〜６の何れか一項に記載のキャップ付き内容器。
【請求項８】
前記外壁部には、前記天壁部から前記外壁部の先端に向けて軸方向に延在する切り欠き部が形成されており、
前記被係合部が、前記切り欠き部の端面に設けられている、請求項７に記載のキャップ付き内容器。
【発明の詳細な説明】
【技術分野】
【０００１】
本発明は、レフィル（詰め替え）用のキャップ付き内容器に関する。
【背景技術】
【０００２】
従来、クリーム等の内容物を収容する容器として、内容物のレフィル用の内容器と外容器とを備える二重容器が知られている。このような二重容器では、内容物を使い切った状態の内容器を外容器から取り外し、未使用状態の新たな内容器を外容器に装着して使用する（特許文献１参照）。また、未使用状態の内容器には、内容物の品質を維持するために、内容器の上端開口部を閉塞するキャップ又はシート状部材が予め設けられており、当該内容器を外容器に装着して使用する際には、当該キャップ又はシート状部材を取り外してから使用される。
【先行技術文献】
【特許文献】
【０００３】
【特許文献１】特開２０１６−２２２２８７号公報
【発明の概要】
【発明が解決しようとする課題】
【０００４】
しかしながら、上記のような未使用状態の内容器に装着されたキャップ又はシート状部材は、比較的簡単に内容器から取り外すことができるため、悪戯等により使用前に不正に開封されて、内容物の品質を損なう虞があった。
【０００５】
それゆえ、本発明は、未使用状態の内容器の不正使用を防止することが可能な構成を有するキャップ付き内容器を提供することを目的とする。
【課題を解決するための手段】
【０００６】
本発明は上記課題を解決するためになされものであり、本発明のキャップ付き内容器は、有底筒状の外容器の内側に配置されて二重容器を構成する内容器と、内容物が充填され未使用状態の前記内容器に対して装着されるキャップとを備えた、詰め替え用のキャップ付き内容器であって、
前記内容器は、一端に開口部を有する筒状の周壁部と、該周壁部の他端を閉塞する底壁部とを備え、
前記キャップは、前記内容器に装着された装着状態において前記開口部を閉塞する天壁部と、該天壁部に連なり前記周壁部を外側から取り囲む筒状の外壁部とを備え、
前記外壁部の内周面には、前記周壁部の外周面に設けられた係合部にアンダーカット係合する被係合部と、該被係合部よりも前記外壁部の先端側で該先端に向けて径方向外側に傾斜する摺動面部とが設けられており、
前記キャップが装着された前記内容器を前記底壁部側から前記外容器の内側に挿入していく過程において前記摺動面部が前記外容器の側壁部に対して摺動して前記外壁部が径方向外側に変形することにより、前記係合部に対する前記被係合部のアンダーカット係合が解除されて、前記内容器が前記キャップから離脱するよう構成されていることを特徴とする。
【０００７】
なお、本発明のキャップ付き内容器にあっては、前記装着状態において、前記外壁部が、前記周壁部の軸方向の半分以上を覆うように構成されていることが好ましい。
【０００８】
また、本発明のキャップ付き内容器にあっては、前記摺動面部は、前記外壁部の先端付近に設けられていることが好ましい。
【０００９】
また、本発明のキャップ付き内容器にあっては、前記天壁部は、前記装着状態において前記周壁部の内周面に当接する封止筒部を有することが好ましい。
【００１０】
また、本発明のキャップ付き内容器にあっては、前記天壁部は、前記封止筒部の径方向内側に設けられた押圧部を有し、
前記キャップが装着された前記内容器を前記外容器の内側に挿入していく過程において該押圧部を押し込むことにより、前記封止筒部が径方向内側に向けて変形するよう構成されていることが好ましい。
【００１１】
また、本発明のキャップ付き内容器にあっては、前記内容器は、前記底壁部の下面から突出し、前記外容器の被嵌合部に対して嵌合可能な嵌合部を有することが好ましい。
【００１２】
また、本発明のキャップ付き内容器にあっては、前記係合部が、前記周壁部の外周面から突出する外向き凸部であり、前記被係合部が、前記外壁部の内周面から突出する内向き凸部であることが好ましい。
【００１３】
また、本発明のキャップ付き内容器にあっては、前記外壁部には、前記天壁部から前記外壁部の先端に向けて軸方向に延在する切り欠き部が形成されており、
前記被係合部が、前記切り欠き部の端部に設けられていることが好ましい。
【発明の効果】
【００１４】
本発明によれば、未使用状態の内容器の不正使用を防止することが可能な構成を有するキャップ付き内容器を提供することができる。
【図面の簡単な説明】
【００１５】
【図１】本発明の一実施形態に係るキャップ付き内容器の一部断面側面図である。
【図２】図１に示すキャップ付き内容器における内容器を外容器に装着する様子を示す断面図である。
【図３】内容器を外容器に装着した状態を示す一部断面側面図である。
【図４】図３に示す状態の外容器の口部に外蓋を装着した状態を示す一部断面側面図である。
【図５】本発明の他の実施形態に係るキャップ付き内容器の一部断面側面図である。
【発明を実施するための形態】
【００１６】
以下、図面を参照しつつ、本発明の実施形態について詳細に例示説明する。なお、本明細書において、上下方向とは、内容器１０、外容器２０、キャップ５０の中心軸である軸線Ｃに沿う軸方向を意味し、上方とは内容器１０の開口部１２が位置する側（例えば、図１における上方）、下方とはの底壁部１４が位置する側（例えば、図１における下方）を意味するものとする。
【００１７】
図１に示すように、本実施形態に係るキャップ付き内容器１は、内容器１０と、キャップ５０とを備える。なお、内容器１０は、後述する外容器２０（図３、４参照）の内側に配置されて二重容器Ｐを構成するものであり、キャップ５０は、内容物が充填され未使用状態の内容器１０に対して一時的に装着され、内容物Ｓを使用する際には取り外されるものである。
【００１８】
内容器１０は、軸線Ｃを中心軸とする有底筒状の内容物収容部１１を備えている。内容物収容部１１の内側は、内容物Ｓの収容空間となっている。本実施形態において、内容物収容部１１は、その一端に開口部１２を有する周壁部１３と、周壁部１３の他端を閉塞する底壁部１４とで構成されている。周壁部１３の外周面には、外向き凸部１５（係合部）が設けられている。外向き凸部１５は、周方向に連続して延在する環形状であってもよいし、周方向に間欠する形状としてもよい。本例では、複数の外向き凸部１５が、周方向に均等に配置されている。
【００１９】
ここで、各外向き凸部１５には、下方に向けて径方向外側に傾斜する傾斜面部１５ａが設けられている。これにより、内容器１０に対するキャップ５０の取り付けが容易となる。すなわち、内容器１０の上方からキャップ５０を被せて押し込むと、傾斜面部１５ａに対して摺動面部５２ｂが摺動するため、スムーズに内向き凸部５２ａが外向き凸部１５を乗り越えアンダーカット係合することとなる。
【００２０】
周壁部１３の上端部には、外周面から径方向外側に突出する円環状の厚肉部１６が設けられている。底壁部１４には、その下面から突出し、軸線Ｃに平行な軸方向に延在する筒状の嵌合部１７が設けられている。
【００２１】
キャップ５０は、未使用状態の内容器１０に装着され、上記開口部１２を閉塞することにより、内容器１０内の内容物Ｓの品質を維持するための部材である。キャップ５０は、内容器１０に対して装着された装着状態において開口部１２を覆う天壁部５１と、天壁部５１の外縁部に連なり周壁部１３を外側から取り囲む筒状の外壁部５２とを備えている。本実施形態において外壁部５２は、周壁部１３を全周にわたって取り囲むとともに、周壁部１３の軸方向の半分以上を覆い、周壁部１３の下端部近傍まで延在している。
【００２２】
天壁部５１は、外壁部５２の上端部に連なる環状の環状壁部５１ａと、環状壁部５１ａの内周縁部から垂下する円筒状の封止筒部５１ｂと、封止筒部５１ｂの径方向内側に設けられた環状の下部環状壁５１ｃと、下部環状壁５１ｃの内周縁部から上方に延びる内筒部５１ｄと、内筒部５１ｄの上端部を閉塞する円板状の上壁部５１ｅとを有する。
【００２３】
環状壁部５１ａは、周壁部１３の上端面の上方に配置される。本実施形態では、環状壁部５１ａの下面から突出する環状の突起が、周壁部１３の上端面に当接して密閉性を高めている。封止筒部５１ｂは、周壁部１３の内周面に全周にわたって当接している。内筒部５１ｄの内側には、上壁部５１ｅの下面から垂下する縦リブ５１ｆが設けられている。なお、縦リブ５１ｆは、平面視で（軸線Ｃに沿う方向から見て）十字状に形成されている。
【００２４】
外壁部５２の内周面には、外向き凸部１５にアンダーカット係合する内向き凸部５２ａ（被係合部）と、内向き凸部５２ａよりも外壁部５２の先端側（図１の下側）において、先端に向けて径方向外側に傾斜する摺動面部５２ｂとが設けられている。本実施形態において摺動面部５２ｂは、内向き凸部５２ａの下方に連続して設けられている。
【００２５】
図２は、図１に示す未使用の内容器１０を、外容器２０に装着する様子を示している。ここで、外容器２０は、内容器１０を収容可能な有底筒状の内容器収納部２１を備えている。すなわち、内容器収納部２１は、その一端に開口部２２を有する側壁部２３と、側壁部２３の他端を閉塞する底壁部２４とを有する。側壁部２３の上部には、外周面に雄ねじ部２５を設けた小径の口部２６が設けられている。また、側壁部２３の内周面には、径方向内側に向けて突出する縦リブ状の支持部２７が設けられている。本実施形態では、側壁部２３の周方向に間隔を空けて複数の支持部２７が形成されている。側壁部２３の先端部（口部２６の先端部）の外周面には、先端に向けて（図２の上方に向けて）径方向内側に傾斜する傾斜面部２３ａが設けられている。
【００２６】
底壁部２４には、嵌合部１７に対応する被嵌合部２８が設けられている。被嵌合部２８は、底壁部２４の上面から軸方向に突出し、その内側に底壁開口２９を形成している。被嵌合部２８の内周面に対して嵌合筒部１７の外周面が嵌合することにより、外容器２０に対して内容器１０が着脱可能に抜け止め保持される。なお、嵌合部１７及び被嵌合部２８は必須の構成ではなく、形状も変更可能である。
【００２７】
未使用の内容器１０を、外容器２０に装着する際には、図２に示すように、外容器２０の開口部２２に対して、キャップ５０が装着された内容器１０を、底壁部１４側から挿入していく。内容物収容部１１を底壁部１４及び周壁部１３の下部を、外容器２０の側壁部２３の内側に挿入していくと、キャップ５０の外壁部５２に設けた摺動面部５２ｂが、側壁部２３の上端部に当接する。本実施形態では、側壁部２３の上端部に傾斜面部２３ａが設けられているため、当該傾斜面部２３ａに対して摺動面部５２ｂが摺動することにより外容器２０の中心軸に対してキャップ５０の中心軸が一致するように誘導される。このため、キャップ５０が装着された内容器１０と、外容器２０との位置わせが容易となる。そして、さらにキャップ５０を外容器２０に向けて押し込むと、摺動面部５２ｂが側壁部２３の上端部（本例では傾斜面部２３ａ）に対して摺動し、当該外壁部５２が徐々に径方向外側に変形していく。なお、本実施形態では、キャップ５０の上壁部５１ｅが押圧部を構成しており、当該上壁部５１ｅを押し込むことで、容易にキャップ５０を外容器２０に向けて押し込むことができる。また、キャップ５０が装着された内容器１０を外容器２０の内側に挿入していく過程において、上壁部５１ｅを押し込むことにより、封止筒部５１ｂが径方向内側に向けて変形するよう構成されている。すなわち、上壁部５１ｅが押圧されて下方に移動すると、下部環状壁５１ｃを介して封止筒部５１ｂが径方向内側に引き込まれることとなる。ここで、キャップ５０が装着された内容器１０を外容器２０に押し込む際に外壁部５２が径方向外側に変形するタイミングと、封止筒部５１ｂが径方向内側に向けて変形するタイミングとは、どちらが先であってもよく、また、当該２つのタイミングが同時であってもよい。
【００２８】
そして、図２に示すように所定の位置までキャップ５０を押下げると、外向き凸部１５と内向き凸部５２ａとの間のアンダーカット係合が解除され、キャップ５０から内容物収容部１１が抜け出し、重力により外容器２０の内側に落下して支持される。
【００２９】
本実施形態では、図２に示すように、嵌合部１７が被嵌合部２８の内側に途中まで入り込んだ状態で停止される。その後、内容器１０の周壁部１３を下方に押圧することにより、図３に示す所定の位置まで内容器１０を押し込むことができる。このようにして、外容器２０に対する内容器１０の装着が終了する。その後、図４に示すように外容器２０の口部２６に外蓋４０を螺着することにより開口部１２を閉塞し、内容物Ｓの品質低下を抑制することができる。なお、図２に示す状態から、内容器１０の周壁部１３を下方に押し込む操作の代わりに、外蓋４０を装着することによって内容器１０が押し込まれる構成としてもよい。また、内容物Ｓを取り出す際には、外蓋４０を外容器２０から取り外して使用する。また、外容器２０の下方から、底壁開口２９を通して内容器１０の底壁部１４を押し上げることで、容易に内容器１０を外容器２０から取り外すことができる。
【００３０】
ここで、外蓋４０は、図４に示すように、円筒状の外筒部４１と、外筒部４１の上端部を閉塞する頂壁部４２とを備えている。外筒部４１の内周面には、前述した雄ねじ部２５と螺合する雌ねじ部４３が設けられている。頂壁部４２の下面には、円板状のパッキン４４が貼着されており、内容器１０の周壁部１３（厚肉部１６）の上面とパッキン４４とが密接することで、内容物収容部１１が密封されるようになっている。なお、本実施例ではパッキン４４を貼着にて組付けているが、これに限られるものではなく、外蓋４０の外筒部４１内周面に凸部を設け、乗越えることで組付けるなど、パッキン４４が脱落しない程度に組付けられていればよく、その組付け方法は適宜選択可能である。
【００３１】
以上説明したように、本実施形態のキャップ付き内容器１にあっては、内容器１０の大部分をキャップ５０が外側から覆うように構成されている。具体的には、内容器１０の開口部１２をキャップ５０の天壁部５１が覆うとともに、周壁部１３を外壁部５２が外側から取り囲むように構成されている。また、アンダーカット係合する外向き凸部１５と内向き凸部５２ａが外壁部５２の内側に配置されているため外部から視認し難くなっている。このような構成により、空の外容器２０を使用しない限りは、キャップ付き内容器１のキャップ５０と内容器１０とを簡単に取り外すことができない。このため、未使用状態の内容器１０の不正使用を防止することが可能となる。また、不正使用を防止するために、内容器１０とキャップ５０以外の他の部材を必要としない構成であるため、部品数が少なく、構造が簡易である。さらに、空の外容器２０に対してキャップ付き内容器１を押し込む操作のみで、内容器１０からキャップ５０を取り外し、且つ、外容器２０内に内容器１０を配置することができる。すなわち、簡単な操作で、キャップ５０の取り外しと、内容器１０の外容器２０への配置を同時に行うことができる。
【００３２】
なお、内容器１０にキャップ５０を装着した装着状態において、キャップ５０の外壁部５２は、内容器１０の周壁部１３の軸方向の半分以上を覆うように構成されていることが好ましい。これによれば、キャップ５０が内容器１０からより取り外し難くなるため、不正使用防止効果を高めることができる。またこのような観点から、外壁部５２は、装着状態において周壁部１３の下端部近傍まで延在していることがより好ましい。また、装着状態において内容器１０の底壁部１４は、キャップ５０の外壁部５２よりも下方に露出していることが好ましく、これによれば、外容器２０に対してキャップ付き内容器１を挿入する際に底壁部１４を外部から視認できるので位置合わせが容易となる。
【００３３】
また、外容器２０の側壁部２３に傾斜面部２３ａを設けることにより、外容器２０に対する内容器１０の装着がよりスムーズになる。すなわち、傾斜面部２３ａに対して摺動面部５２ｂが摺動して、キャップ５０の外壁部５２をより滑らかに径方向外側に変形させることができ、挿入時に引っ掛かり難くなる。また、傾斜面部２３ａに対して摺動面部５２ｂが摺動することにより、外容器２０の中心軸に対してキャップ５０の中心軸が一致するように誘導されるため、キャップ５０が装着された内容器１０と外容器２０との位置わせが容易となる。
【００３４】
また、摺動面部５２ｂは、外壁部５２の先端付近に設けられていることが好ましく、これによれば、摺動面部５２ｂを外容器２０の側壁部２３に対して摺動させる際に視認し易く、位置合わせが容易となる。また、摺動面部５２ｂが外壁部５２の先端付近に設けられていることで、外壁部５２の変形の支点となる天壁部５１との連結部（外壁部５２の上端）から摺動面部５２ｂまでの距離が大きくなるので、外壁部５２を変形させ易くなり、キャップ付き内容器１を外容器２０に押し込む際に必要な力を小さくすることができる。
【００３５】
また、本実施形態にあっては、封止筒部５１ｂが周壁部１３の内周面に全周にわたって当接することにより、キャップ５０の密閉性を高めることができる。また、封止筒部５１ｂが周壁部１３の内周面に当接することで、周壁部１３と天壁部５１との相対的な位置ずれが防止され、キャップ５０の脱落防止効果、及びキャップ５０の不正開封防止効果を高めることができる。また、キャップ５０が装着された内容器１０を外容器２０の内側に挿入していく過程において、上壁部５１ｅを押し込むことで封止筒部５１ｂが径方向内側に向けて変形するよう構成されていることにより、キャップ５０から内容器１０が離脱し易くなり、外容器２０への装着の精度を高めることができる。
【００３６】
以下に、本発明の他の実施形態について説明する。なお、上述した実施形態と基本的な機能が同一である部分は、図中、同一の符号を付して説明を省略する。
【００３７】
図５は、本発明の他の実施形態に係るキャップ付き内容器２を示している。キャップ付き内容器２は、内容器１０と、キャップ１５０とを備えている。なお、内容器１０は、図１に示す先の実施形態の内容器１０と共通の構成としている。
【００３８】
キャップ１５０は、天壁部５１と、外壁部１５２とを備える。なお、天壁部５１の構成は、図１に示す先の実施形態のキャップ５０と同様である。キャップ１５０には、外壁部１５２の上端部から軸方向に延在し、外壁部１５２を貫通する切り欠き部１５２ｃが形成されている。なお、本例において切り欠き部１５２ｃは、周方向における６箇所に均等に配置されているが、これに限られず、６箇所未満でもよいし、７箇所以上設けてもよく、その位置も特に限定されない。また、キャップ１５０の外壁部１５２の内周面に設けられた被係合部としての内向き凸部１５２ａは、切り欠き部１５２ｃの下端部に設けられている。より詳細には、内向き凸部１５２ａにおける外向き凸部１５との係合面が、切り欠き部１５２ｃの下端部に形成される端面１５２ｄ（上方を向く面）に連続している。なお、キャップ付き内容器２における内容器１０を、外容器２０に装着する際の操作は、先の実施形態と同様である。
【００３９】
本実施形態のキャップ付き内容器２においても、未使用状態の内容器１０の不正使用を防止することが可能となる。また、部品数が少なく、構造が簡易であるため、製造も容易である。さらに、空の外容器２０に対してキャップ付き内容器２を挿入して押し込む簡単な操作で、キャップ１５０の取り外しと、内容器１０の外容器２０への配置を同時に行うことができる。
【００４０】
また、本実施形態のキャップ付き内容器２にあっては、被係合部としての内向き凸部１５２ａが、切り欠き部１５２ｃの端部に設けられているため、分割された割り金型を用いた射出成形により、内向き凸部１５２ａにおける外向き凸部１５との係合面を、軸線Ｃに対して垂直な面で形成することができる。これにより、外向き凸部１５と内向き凸部１５２ａとのアンダーカット係合が強くなるため、キャップ１５０の脱落防止効果、及びキャップ１５０の不正開封防止効果を高めることが可能となる。
【００４１】
以上、図示例に基づき説明したが、本発明は上述の実施形態に限定されるものでなく、特許請求の範囲の記載範囲内で適宜変更することができるものである。例えば、先の実施形態ではアンダーカット係合する係合部と被係合部を外向き凸部１５と内向き凸部５２ａとで構成したが、これに限定されず、何れか一方を凹部で構成してもよい。また、本実施形態において周壁部１３及び外壁部５２は、断面が円形となる円筒状としているが、これに限られず、例えば断面が多角形等の種々の形状を採用可能である。また、キャップ５０の外壁部５２には、その先端から上方に延びる切欠きや貫通孔等が設けられていてもよい。また、外容器２０と外蓋４０とはねじ係合に限らず、着脱可能にアンダーカット係合する構成としてもよい。
【符号の説明】
【００４２】
１        キャップ付き内容器
２        キャップ付き内容器
１０      内容器
１１      内容物収容部
１２      開口部
１３      周壁部
１４      底壁部
１５      外向き凸部（係合部）
１５ａ    傾斜面部
１６      厚肉部
１７      嵌合部
２０      外容器
２１      内容器収納部
２２      開口部
２３      側壁部
２３ａ    傾斜面部
２４      底壁部
２５      雄ねじ部
２６      口部
２７      支持部
２８      被嵌合部
２９      底壁開口
４０      外蓋
４１      外筒部
４２      頂壁部
４３      雌ねじ部
４４      パッキン
５０      キャップ
５１      天壁部
５１ａ    環状壁部
５１ｂ    封止筒部
５１ｃ    下部環状壁
５１ｄ    内筒部
５１ｅ    上壁部（押圧部）
５１ｆ    縦リブ
５２      外壁部
５２ａ    内向き凸部（被係合部）
５２ｂ    摺動面部
１５０      キャップ
１５２    外壁部
１５２ａ  内向き凸部（被係合部）
１５２ｂ  摺動面部
１５２ｃ  切り欠き部
１５２ｄ  端面
Ｃ        軸線
Ｐ        二重容器
Ｓ        内容物
【図１】
2018140816.tif 000003
【図２】
2018140816.tif 000004
【図３】
2018140816.tif 000005
【図４】
2018140816.tif 000006
【図５】
2018140816.tif 000007